(57)【要約】【課題】股関節周辺の筋肉をうまく活動させて、これらの筋肉を効果的に鍛えることができるトレーニング装置を提供することを目的とする。【解決手段】本発明のトレーニング装置は、使用者の左右の下腿のうち、いずれか一方側の下腿のみを、膝が足部よりも前方に位置するように傾斜させて固定する下腿固定部と、一方側の下腿における足部を下方から支持するとともに、地面から上方に向けて離間する位置に配置された支持板と、を備えている。【選択図】図１
2020162760.tif 000002
【特許請求の範囲】
【請求項１】
使用者の左右の下腿のうち、いずれか一方側の下腿のみを、膝が足部よりも前方に位置するように傾斜させて固定する下腿固定部と、
前記一方側の下腿における前記足部を下方から支持するとともに、地面から上方に向けて離間する位置に配置された支持板と、を備えているトレーニング装置。
【請求項２】
前記下腿固定部は、
前記下腿の前方に位置する脛部を支持する脛支持部と、
前記下腿の後方に位置する腓腹部を支持する腓腹支持部と、を備え、
前記脛支持部および前記腓腹支持部により、前記下腿を前後方向に挟持することで固定することを特徴とする請求項１に記載のトレーニング装置。
【請求項３】
前記脛支持部は、軟質材料により形成され、かつ側面視において上下方向に延びる固定板と、
固定板が、上方に向かうに従い漸次、前方に向けて延びるように、前記固定板の表裏面が向く向きを変更できる角度調整部と、を備えていることを特徴とする請求項２に記載のトレーニング装置。
【請求項４】
前記脛支持部は、左右方向に互いに間隔をあけて、一対配置されていることを特徴とする請求項２又は３のいずれか一項に記載のトレーニング装置。
【請求項５】
前記腓腹支持部は、軟質材料により形成されたローラ部材と、
前記ローラ部材の前後方向の位置を変更できる位置調整部と、を備えていることを特徴とする請求項２から４のいずれか１項に記載のトレーニング装置。
【請求項６】
前記ローラ部材は、上下方向に互いに間隔をあけて、一対配置されていることを特徴とする請求項５に記載のトレーニング装置。
【発明の詳細な説明】
【技術分野】
【０００１】
本発明は、トレーニング装置に関する。
【背景技術】
【０００２】
従来、下半身を鍛えるトレーニング装置として、ウェイトブロックを用いて脚部に負荷を与える装置が知られている。
このようなトレーニング装置として、下記特許文献１には、使用者が着座した状態で、ウェイトブロックとワイヤロープを介して連結された操作パッドを回動させて、ウェイトブロックを持ち上げることで脚部に負荷を与える構成が開示されている。
また、このようなトレーニング装置を用いずに、自重を用いて行うスクワットやランジと呼ばれる屈伸運動からなるエクササイズにより、下半身に負荷を与えることも行われている。
【先行技術文献】
【特許文献】
【０００３】
【特許文献１】特開２００６−２１２３１９号公報
【発明の概要】
【発明が解決しようとする課題】
【０００４】
しかしながら、上記特許文献１に記載のトレーニング装置では、脚部の筋力の増強は図れるが、例えば陸上選手における走行動作の改善のように、脚部の動きを円滑にしたり、姿勢を安定させたりするような特定の動作の改善には不十分であった。
【０００５】
また、前述したエクササイズでは、股関節、膝関節、足関節を複合的に使う場合、下肢のうち、膝関節より下の部分が大きく動作する傾向が高い。このように、下肢のうち、膝関節より下の部分が大きく動作すると、股関節周辺の筋肉がうまく活動せず、筋肉を効果的に鍛えることができない。
さらに、膝関節が前方スライドするという、本来意図していた動作とは異なる代償動作が生じ、膝関節周辺の靭帯、腱、筋組織に大きな負担をかけるリスクが高まるというおそれがあった。
【０００６】
そこで本発明は、股関節周辺の筋肉をうまく活動させて、これらの筋肉を効果的に鍛えることができるトレーニング装置を提供することを目的とする。
【課題を解決するための手段】
【０００７】
上記課題を解決するために、本発明のトレーニング装置は、使用者の左右の下腿のうち、いずれか一方側の下腿のみを、膝が足部よりも前方に位置するように傾斜させて固定する下腿固定部と、一方側の下腿における足部を下方から支持するとともに、地面から上方に向けて離間する位置に配置された支持板と、を備えている。
【０００８】
また、下腿固定部は、下腿の前方に位置する脛部を支持する脛支持部と、下腿の後方に位置する腓腹部を支持する腓腹支持部と、を備え、脛支持部および腓腹支持部により、下腿を前後方向に挟持することで固定してもよい。
【０００９】
また、脛支持部は、軟質材料により形成され、かつ側面視において上下方向に延びる固定板と、固定板が、上方に向かうに従い漸次、前方に向けて延びるように、固定板の表裏面が向く向きを変更できる角度調整部と、を備えてもよい。
【００１０】
また、脛支持部は、左右方向に互いに間隔をあけて、一対配置されてもよい。
【００１１】
また、腓腹支持部は、軟質材料により形成されたローラ部材と、ローラ部材の前後方向の位置を変更できる位置調整部と、を備えてもよい。
【００１２】
また、ローラ部材は、上下方向に互いに間隔をあけて、一対配置されてもよい。
【発明の効果】
【００１３】
本発明のトレーニング装置によれば、下腿固定部により、左右のいずれか一方側の下腿を傾斜させて固定するとともに、支持板により、この下腿の足部を、地面から上方に向けて離間する位置で支持することができる。
このため、脚部のうち、膝の下側に位置する下腿が固定されていることで、股関節周辺の筋肉をうまく活動させて、これらの筋肉を効果的に鍛えることができる。
【図面の簡単な説明】
【００１４】
【図１】本発明の第１実施形態に係るトレーニング装置の斜視図である。
【図２】図１に示すトレーニング装置の平面図である。
【図３】図１に示すトレーニング装置の左右方向から見た左側面図である。
【図４】図１に示すトレーニング装置の第１使用方法における第１姿勢の状態を示す図である。
【図５】図１に示すトレーニング装置の第１使用方法における中間動作を示す図である。
【図６】図１に示すトレーニング装置の第１使用方法における第２姿勢の状態を示す図である。
【図７】図１に示すトレーニング装置の第１使用方法の状態を使用者の後方から見た図である。
【図８】図１に示すトレーニング装置の第２使用方法における第１姿勢の状態を示す図である。
【図９】図１に示すトレーニング装置の第２使用方法における第２姿勢の状態を示す図である。
【発明を実施するための形態】
【００１５】
本発明の一実施形態に係るトレーニング装置１について、図面を参照して説明する。
本実施形態に係るトレーニング装置１は、特に短距離走に必要な脚部や腰部周辺の筋肉を鍛えるために用いられる運動器具である。
図１は、トレーニング装置１の斜視図である。図２は、トレーニング装置１の平面図である。図３は、トレーニング装置１の左右方向Ｙから見た左側面図である。この説明では、図面に示す方向Ｘをトレーニング装置１の前後方向Ｘとし、図面に示す方向Ｙをトレーニング装置１の左右方向Ｙとする。
【００１６】
本実施形態に係るトレーニング装置１は、主に第１使用方法と第２使用方法と、の２種類の使用方法を有している。
以下の説明では、主な使用方法である第１使用方法における使用態様に基づいて、トレーニング装置１の構造の一部を説明するが、副次的な使用方法である第２使用方法での使用を妨げるものではない。
【００１７】
図１に示すように、トレーニング装置１は、使用者の下腿を固定する下腿固定部１０と、下腿が固定された足部を支持する支持板２と、を備えている。トレーニング装置１は、全体的には、ステンレス等の一定の剛性のある金属材料により形成されている。後述するフレーム部材はそれぞれ、中空状に形成されている。支持板２は下腿固定部１０の下方に位置している。
【００１８】
支持板２は、一方側の下腿における足部を、下方から支持する。支持板２は、地面から上方に向けて離間する位置に配置されている。
支持板２は、平面視で２辺が前後方向Ｘに延びるとともに、残り２辺が左右方向Ｙに延びる正方形状を呈している。なお、支持板２の平面視形状は、長方形状や円形状等に任意に変更することができる。
【００１９】
支持板２は、支持フレーム３０により支持されている。支持フレーム３０は、前後方向Ｘに延びる梁フレーム３１と、梁フレーム３１を支持する脚フレーム３２と、を備えている。
図２に示すように、梁フレーム３１は、左右方向Ｙに互いに間隔をあけて、一対配置されている。一対の梁フレーム３１同士の間に、載置フレーム３３が連結されている。載置フレーム３３の上面に支持板２が載置されている。
【００２０】
梁フレーム３１の前後方向Ｘの両端部に、脚フレーム３２がそれぞれ連結されている。脚フレーム３２は、平面視で左右方向Ｙに延びるとともに、前後方向Ｘに互いに間隔をあけて、一対配置されている。
脚フレーム３２の左右方向Ｙの長さは、支持板２の左右方向Ｙの大きさよりも大きくなっている。このため、使用者が大きく体を動かすことで、重心の移動により支持板２の上面にかかる力が大きく変動した場合であっても、支持板２が傾くのを抑えることができる。
【００２１】
図１に示すように、脚フレーム３２は、左右方向Ｙの中間部に位置して水平に延びる水平部３４と、左右方向Ｙの両端部に位置する湾曲部３５と、を備えている。一対の梁フレーム３１は、脚フレーム３２の水平部３４に連結されている。
湾曲部３５は、左右方向Ｙの外側に向かうに従い漸次、下方に向けて湾曲して延びている。湾曲部３５の下端部には、地面に載置される脚先部３６が設けられている。脚先部３６は平面視で円形状をなし、合成樹脂材料で形成されている。
【００２２】
図２に示すように、一対の脚フレーム３２のうち、前後方向Ｘの一方側に位置する第１脚フレーム３２Ａの水平部３４には、把手部３７が設けられている。把手部３７は、例えば溶接接合等により、水平部３４に連結されている。
一対の脚フレーム３２のうち、前後方向Ｘの他方側に位置する第２脚フレーム３２Ｂの湾曲部３５には、キャスター３８が設けられている。キャスター３８は、他方側の脚フレーム３２における一対の湾曲部３５にそれぞれ設けられ、前後方向Ｘの外側に向けて突出している。
【００２３】
そして、把手部３７を把持して持ち上げてトレーニング装置１を傾けることで、一対のキャスター３８が地面と接触する。
トレーニング装置１全体をこのように傾けて、キャスター３８が接触している状態で前後方向Ｘに移動させることで、トレーニング装置１を少ない力で容易に移動させることができる。
【００２４】
図１に示すように、下腿固定部１０は、支持フレーム３０に立設された第１固定柱１１と、第１固定柱１１に固定された脛支持部１２と、第１固定柱１１と前後方向Ｘに間隔をあけて配置され、かつ支持フレーム３０に立設された第２固定柱１３と、第２固定柱１３に固定された腓腹支持部１４と、を備えている。
【００２５】
図２に示すように、第１固定柱１１は、支持フレーム３０における載置フレーム３３のうち、左右方向Ｙの中間部に立設されている。第１固定柱１１の前後方向Ｘの位置は、支持板２の前後方向Ｘの一方側の端部と重なっている。第１固定柱１１は平面視で矩形状の角柱である。
【００２６】
第１固定柱１１は、中空筒が二重に配置された二重筒の構造をなしている。外側筒１１Ａに脛支持部１２が固定され、内側筒１１Ｂが支持フレーム３０に立設されている。
第１固定柱１１は、外側筒１１Ａの高さを、内側筒１１Ｂに対して変化させて固定する高さ調整部１１Ｃを備えている。高さ調整部１１Ｃを用いて、外側筒１１Ａの高さを変化させることで、脛支持部１２の高さを調整することができる。
【００２７】
脛支持部１２は、下腿の前方に位置する脛部を支持する部分である。脛支持部１２は、左右方向Ｙに互いに間隔をあけて、一対配置されている。一対の脛支持部１２全体における左右方向Ｙの大きさは、支持板２の左右方向Ｙの大きさと同等となっている。
脛支持部１２は、使用者の脛部の前方に位置する固定板２１と、固定板２１を支持する支持軸２２と、固定板２１の角度を調整する角度調整部２３と、を備えている。
【００２８】
図３に示すように、固定板２１は、側面視において上下方向に延びる板状をなしている。固定板２１は、例えばウレタンマットを合成皮革により被覆したような軟質材料により形成されている。
なお、固定板２１の材質は、脛部に対して押し付けた際に痛みを感じない程度の柔らかさと、脛部を充分に支持できる程度の剛性がある素材であれば、任意に選択することができる。また、固定板２１のうち、脛部が接触する部分を脛部の形状に合わせて湾曲させてもよい。
【００２９】
支持軸２２は、固定板２１の前後方向Ｘの一方側に固定され、固定板２１を軸回りに回転可能に支持している。支持軸２２は、角度調整部２３に接続され、左右方向Ｙに延びている。
角度調整部２３は、第１固定柱１１に連結され、支持軸２２を締結する締結部材である。角度調整部２３による支持軸２２の締結を緩めることで、支持軸２２を固定板２１とともに、軸回りに回転させることができる。これにより、固定板２１が、上方に向かうに従い漸次、前方に向けて延びるように、固定板２１の表裏面が向く向きを変更することができる。
【００３０】
図２に示すように、第２固定柱１３は、第２脚フレーム３２Ｂにおける左右方向Ｙの中央部に立設されている。第２固定柱１３は平面視で矩形状の角柱である。
図３に示すように、腓腹支持部１４は、下腿の後方に位置する腓腹部を支持する部分である。腓腹支持部１４は、軟質材料により形成されたローラ部材４１と、ローラ部材４１に連結され、ローラ部材４１を支持する支持アーム４２と、支持アーム４２を第２固定柱１３に連結する連結アーム４３と、支持アーム４２および連結アーム４３を締結する位置調整部４４と、を備えている。
【００３１】
ローラ部材４１は、前後方向Ｘにおいて、第２固定柱１３と固定板２１との間に位置する部分に配置されている。
ローラ部材４１は、例えばウレタンマットを合成皮革により被覆したような軟質材料により形成されている。なお、ローラ部材４１の材質は、腓腹部に対して押し付けた際に痛みを感じない程度の柔らかさと、腓腹部を充分に支持できる程度の剛性がある素材であれば、任意に選択することができる。
【００３２】
ローラ部材４１は、側面視において円形状を呈し、中心軸が左右方向Ｙに延びる円柱状を呈している。図２に示す平面視において、ローラ部材４１の左右方向Ｙの大きさは、支持板２の左右方向Ｙの大きさと同等になっている。なお、ローラ部材４１の形状は、角柱状やその他の形状であってもよい。
【００３３】
図３に示すように、支持アーム４２は、ローラ部材４１を軸支する形で、ローラ部材４１を回転可能に支持している。支持アーム４２は、ローラ部材４１から、前後方向Ｘの他方側（第２固定柱１３側）に延びるに従い漸次、上方に向けて傾斜して延びている。
連結アーム４３は、第２固定柱１３のうち、前後方向Ｘの一方側を向く面に、例えば溶接接合等により固定されている。連結アーム４３は、中空形状を呈し、内部に支持アーム４２が挿入されている。
【００３４】
位置調整部４４は、連結アーム４３に取り付けられ、支持アーム４２を締結する締結部材である。位置調整部４４による支持アーム４２の締結を緩めた状態では、支持アーム４２を連結アーム４３に沿って、前後方向Ｘに相対移動させることができる。
そして、位置調整部４４を締結することにより、ローラ部材４１とともに、支持アーム４２の前後方向Ｘの位置を固定することができる。すなわち、位置調整部４４を操作することにより、ローラ部材４１の前後方向Ｘの位置を任意に変更することができる。
【００３５】
ここで、ローラ部材４１は、上下方向に互いに間隔をあけて、一対配置されている。一対のローラ部材４１のうち、上側に位置する上側ローラ４１Ａと、下側に位置する下側ローラ４１Ｂと、の大きさは互いに同等となっている。
なお、上側ローラ４１Ａおよび下側ローラ４１Ｂそれぞれの大きさは互いに異なっていてもよい。
【００３６】
上側ローラ４１Ａおよび下側ローラ４１Ｂは、それぞれ独立して前後方向Ｘの位置を変更することができる。
上側ローラ４１Ａにおける位置調整部４４は連結アーム４３の上面に設けられ、下側ローラ４１Ｂにおける位置調整部４４は、連結アーム４３の側面に設けられている。
なお、上側ローラ４１Ａにおける位置調整部４４を、連結アーム４３の側面や下面に設けてもよいし、下側ローラ４１Ｂにおける位置調整部４４を、連結アーム４３の上面や下面に設けてもよい。
【００３７】
そして、第１使用方法において、下腿固定部１０は、脛支持部１２および腓腹支持部１４により、使用者の下腿を前後方向Ｘに挟持することで固定する。ここで、図４から図７を用いて、第１使用方法について説明する。
図４は、トレーニング装置１の第１使用方法における第１姿勢の状態を示す図である。図５は、第１使用方法における中間動作を示す図である。図６は、第１使用方法における第２姿勢の状態を示す図である。図７は、第１使用方法の状態を使用者の後方から見た図である。
【００３８】
図４に示すように、下腿固定部１０は、使用者の左右の下腿のうち、いずれか一方側の下腿のみを固定する。図示の例では、使用者の右側の下腿を下腿固定部１０が固定している。すなわち、図示の例では、固定されている右脚が固定脚であり、固定されていない左脚が遊脚である。
【００３９】
この際、下腿固定部１０は、膝が足部よりも前方に位置するように下腿を傾斜させて固定する。下腿固定部１０による下腿の固定方法について以下に詳述する。この説明では、使用者の向きに合わせて、前後方向Ｘのうち、固定板２１側を前方、ローラ部材４１側を後方として説明する。
【００４０】
まず、二つのローラ部材４１を後方移動させるとともに、固定板２１を支持軸２２回りに回転させて、傾斜させた状態とする。
ここで、固定板２１の初期位置である、側面視で上下方向にまっすぐ延びた位置から傾斜させる傾斜角度については、使用者がトレーニングに求める負荷により選択することができる。すなわち、固定板２１の傾斜角度が大きいほど、体全体の傾斜角度が大きくなり、第１使用方法における使用者に対するトレーニングの負荷方向が変わる。
【００４１】
次に、右側の足部を支持板２のうち、左右方向Ｙの左側に位置する部分に載置した状態で、右側の下腿を固定板２１の傾斜角度に合わせて傾斜させる。
そして、一対のローラ部材４１それぞれの前後方向Ｘの位置を調整して、腓腹部を後方から前方に向けて押圧するように、ローラ部材４１を押し付ける。この際、上側ローラ４１Ａの前後方向Ｘの位置と、下側ローラ４１Ｂの前後方向Ｘの位置と、は互いに異なっている。このようにして、脛支持部１２および腓腹支持部１４により、使用者の右側の下腿が、前後方向Ｘに挟持されることで固定される。
【００４２】
図７に示すように、この状態では、使用者の右側の足部は支持板２により支持されているとともに、使用者の左側の足部は、支持板２に支持されていない。すなわち、使用者の左半身は、左右方向Ｙにおいて支持板２の外側に位置している。
【００４３】
そして図４に示す第１姿勢から、使用者が左側の膝を前方に突き出すようにして、左側の上腿を引き上げることで、使用者の姿勢が変化する。具体的には、図４に示す第１姿勢から、図５に示す中間動作を経て、図６に示す第２姿勢に変化する。
この動作（腿上げ動作）を繰り返して、第１姿勢、中間動作、第２姿勢、中間動作、第１姿勢というサイクルとして、連続した運動を行う。
【００４４】
この動作（腿上げ動作）において、体重や重心の変化によって固定脚の股関節に強い伸展作用が加わることで、固定脚の大臀筋やハムストリングスに代表される股関節の伸展筋群が強く働く。
同時に、左右方向Ｙへの重心動揺を固定脚の片脚で支えなくてはいけないため、股関節の外転筋群や内転筋群も強く働く。
【００４５】
また、遊脚を振り上げる動作は股関節の屈曲作用であるため、遊脚側の股関節の屈曲筋群である大腰筋や腸骨筋を、固定脚と同時に鍛えることができる。
すなわち、下腿を物理的に固定することで、膝関節や足関節の動作を制限し、その結果股関節の動作を半強制的に促進することができる。
【００４６】
また、運動負荷を下げたい場合には、例えば遊脚を前後に動かすことなく、遊脚側の足部を地面に接触させた状態から、左右の骨盤の高さが互いに同等になる高さまで、遊脚での跳躍を繰り返す動作により、固定脚側の外転筋群や内転筋群に負荷を与えることができる。
また、更に運動負荷を下げたい場合には、遊脚での跳躍を行うことなく、遊脚を地面から上方に向けて離間させた状態で、左右の骨盤の高さが互いに同等となっている状態を維持するだけでもよい。この場合にも、固定脚側の外転筋群や内転筋群に相当の負荷を与えることができる。
【００４７】
この動作を複数回繰り返したのちに、右側の下腿の固定を解除する。そして、左側の足部を支持板２のうち、左右方向Ｙの右側に位置する部分に載置した状態で、左側の下腿を前述したように下腿固定部１０により固定して、右側の上腿を引き上げる動作を行う。これにより、左右両側において、股関節の伸展筋群、屈曲筋群、外転筋群、および内転筋群を鍛えることができる。
【００４８】
次に、第２使用方法について図８および図９を用いて説明する。図８は、トレーニング装置１の第２使用方法における第１姿勢の状態を示す図である。図９は、第２使用方法における第２姿勢の状態を示す図である。
この説明では、使用者の前後方向Ｘの向きが、第１使用方法と逆になっている。すなわち、ローラ部材４１側が前方、固定板２１側を後方として説明する。
【００４９】
図８に示すように、第２使用方法では、第１使用方法と比較して、固定板２１が傾斜する向きが逆になっている。すなわち、固定板２１は、上方に向かうに従い漸次、第２使用方法における前方に向けて延びている。また、第２使用方法では、両側の足部が支持板２により支持されている。
なお、固定板２１は傾斜することなく、上下方向にまっすぐ伸びていてもよい。
【００５０】
そして、支持板２に両足を載置した状態で、固定板２１に腓腹部を押し当て、下腿を固定板２１の傾斜に沿って配置し、ローラ部材４１で脛部を前方から押圧することで固定することで、使用者が第１姿勢をとる。この際、膝とつま先との前後方向Ｘの位置が同等であることが好ましい。
【００５１】
そして、図９に示すように、脚部を屈伸させて第２姿勢に変化させる動作を行う。この動作（スクワット動作）を繰り返し行うことで、脚部や臀部の筋肉を鍛えることができる。このスクワット動作では、常に下腿が固定された状態が維持される。
ここで、膝とつま先との前後方向Ｘの位置が固定されることにより、膝関節の外転、内転、回旋動作が抑制され、膝関節や足関節部周囲の靭帯や腱、筋組織に対する負担を減少させることができる。
なお、図８および図９では、固定板２１の下側が腓腹部と接触していないが、固定板２１の上下方向の全域が腓腹部と接触するように、一対のローラ部材４１により、下腿を前方から押圧してもよい。
【００５２】
以上説明したように、本実施形態に係るトレーニング装置１によれば、下腿固定部１０により、左右のいずれか一方側の下腿を傾斜させて固定するとともに、支持板２により、この下腿の足部を、地面から上方に向けて離間する位置で支持することができる。
このため、脚部のうち、膝の下側に位置する下腿が固定されていることで、股関節周辺の筋肉をうまく活動させて、これらの筋肉を効果的に鍛えることができる。
【００５３】
また、下腿が固定されていることで、特に膝関節および足関節周囲の靭帯、腱、および筋組織に負担がかかりやすい、膝の前方および左右内側に向けての動きが生じるのを防ぐことができる。これにより、膝関節および足関節周囲の靭帯、腱、および筋組織に対する過度な負荷を抑制することができる。
【００５４】
また、支持板２が、地面から上方に向けて離間する位置に配置されているので、下腿固定部１０により固定されていない方の脚部の足部と、地面と、の距離を確保することができる。
このため、仮に固定されていない方の脚部を、前後および上下に激しく動かしたとしても、足部が上下に変位する過程において、地面と接触するのを確実に防ぐことができる。
【００５５】
また、下腿固定部１０が、脛支持部１２と、腓腹支持部１４と、を備え、脛支持部１２および腓腹支持部１４により、下腿を前後方向Ｘに挟持することで固定する。このため、左右方向Ｙから、脛支持部１２と腓腹支持部１４との間に脚部を配置することができ、下腿固定部１０に使用者の脚部をセットする動作を容易に行うことができる。
【００５６】
また、脛支持部１２が、固定板２１と、固定板２１の向きを変更できる角度調整部２３と、を備えているので、使用者が求める負荷に応じて、固定板２１の傾斜角度を調整することができる。これにより、様々なレベルのトレーニングを行うことができる。
【００５７】
また、脛支持部１２は、左右方向Ｙに互いに間隔をあけて、一対配置されているので、左右両方の下腿を固定することが可能になり、左右それぞれの脚部において、均等にトレーニングを行うことができる。
【００５８】
また、腓腹支持部１４が、ローラ部材４１と、ローラ部材４１の前後方向Ｘの位置を変更できる位置調整部４４と、を備えているので、ローラ部材４１の前後方向Ｘの位置を調整することができる。これにより、第１使用状態において、ローラ部材４１を前方に向けて移動させて使用者の腓腹部を押圧することで、使用者の下腿を確実に固定できる。
また、固定板２１とローラ部材４１との間の前後方向Ｘの間隔を調整することができるので、脚部のサイズに合わせて、ローラ部材４１の最適な位置を調整することができ、様々な体格の使用者がトレーニングを行うことができる。
【００５９】
また、ローラ部材４１が、上下方向に互いに間隔をあけて一対配置されている。このため、下腿が傾斜した状態で、下腿の上下方向の位置により、前後方向Ｘの位置が異なる場合であっても、一対のローラ部材４１それぞれの前後方向Ｘの位置を調整することで、確実に使用者の下腿を固定することができる。
【００６０】
なお、上述の実施形態は、本発明の代表的な実施形態を単に例示したものにすぎない。したがって、本発明の趣旨を逸脱しない範囲において、上述の実施形態に対して種々の変形を行ってもよい。
【００６１】
例えば、上記実施形態では、下腿固定部１０が、脛支持部１２と腓腹支持部１４とを備えている構成を示したが、このような態様に限られない。例えば、下腿固定部１０は、下腿の全体を被覆する剛性の高いブーツ状をなし、支持板２に固定されているような構成であってもよい。
【００６２】
また、上記実施形態では、固定板２１の向きを変更可能な角度調整部２３を備えている構成を示したが、このような態様に限られない。固定板２１は、予め側面視で傾斜した状態で固定されていてもよい。
また、上記実施形態では、固定板２１が左右方向Ｙに互いに間隔をあけて、一対配置された構成を示したが、このような態様に限れない。固定板２１は一つだけ設けられてもよい。
【００６３】
また、上記実施形態では、腓腹支持部１４がローラ部材４１を備えている構成を示したが、このような態様に限られない。腓腹支持部１４はローラ部材４１に代えて、軟質材料により形成されたブロック部材を備えていてもよい。
【００６４】
また、上記実施形態では、ローラ部材４１が上下方向に互いに間隔をあけて、一対配置されている構成を示したが、このような態様に限られない。ローラ部材４１は一つだけ配置されてもよい。
【００６５】
また、上記実施形態におけるトレーニング装置１は、第１使用方法と第２使用方法とを実施可能である構成を示したが、このような態様に限られない。第２使用方法はあくまで副次的な使用方法であり、本発明のトレーニング装置１としては、第１使用方法のみを実施可能な構成であってもよい。
【００６６】
また、前述した変形例に限られず、これらの変形例を選択して適宜組み合わせてもよいし、その他の変形を施してもよい。
【符号の説明】
【００６７】
１  トレーニング装置
２  支持板
１０  下腿固定部
１２  脛支持部
１４  腓腹支持部
２１  固定板
２３  角度調整部
４１  ローラ部材
４４  位置調整部
【図１】
2020162760.tif 000003
【図２】
2020162760.tif 000004
【図３】
2020162760.tif 000005
【図４】
2020162760.tif 000006
【図５】
2020162760.tif 000007
【図６】
2020162760.tif 000008
【図７】
2020162760.tif 000009
【図８】
2020162760.tif 000010
【図９】
2020162760.tif 000011
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
使用者の左右の下腿のうち、いずれか一方側の下腿のみを、膝が足部よりも前方に位置するように傾斜させて固定する下腿固定部と、
前記一方側の下腿における前記足部を下方から支持するとともに、地面から上方に向けて離間する位置に配置された支持板と、を備え、
前記下腿固定部は、
前記下腿の前方に位置する脛部を支持する脛支持部と、
前記下腿の後方に位置する腓腹部を支持する腓腹支持部と、を備え、
前記脛支持部および前記腓腹支持部により、前記下腿を前後方向に挟持することで固定し、
前記腓腹支持部は、軟質材料により形成されたローラ部材と、
前記ローラ部材の前後方向の位置を変更できる位置調整部と、を備え、
前記ローラ部材および前記位置調整部はそれぞれ、上下方向に互いに間隔をあけて、一対配置されているトレーニング装置。
【請求項２】
前記脛支持部は、軟質材料により形成され、かつ側面視において上下方向に延びる固定板と、
固定板が、上方に向かうに従い漸次、前方に向けて延びるように、前記固定板の表裏面が向く向きを変更できる角度調整部と、を備えていることを特徴とする請求項１に記載のトレーニング装置。
【請求項３】
前記脛支持部は、左右方向に互いに間隔をあけて、一対配置されていることを特徴とする請求項１又は２に記載のトレーニング装置。